(57)【要約】【課題】長期使用後も、回動の安定状態を確保し、ヒンジの回転が、随時、円滑、且つ、平穏な状態を維持できるヒンジ構造を提供する。【解決手段】本考案のヒンジ構造は、回転軸素子を備え、回転軸の中段は、直径が大きい環抵部を設け、環抵部の一端は軸棒を設け、軸棒上にスクリュー段と二つの欠落部、パッド、枢孔を有する固定架、翼型パッド、直辺枢孔を有し、前記回転軸素子の欠落部に対応して、相対旋回を防止する定位板、複数の皿型弾性パッド、及び、圧縮パッドを備える。回転軸素子の軸棒は、順に、パッド、固定架、翼型パッド、定位板、複数の皿型弾性パッド、及び、圧縮パッドを貫通した後、更に、ナットにより、回転軸のスクリュー段に鎖固して、全体を固定する。【選択図】図１
0003104006.tif 000002
【実用新案登録請求の範囲】
【請求項１】
回転軸素子を備え、前記回転軸の中段は、直径が大きい環抵部を設け、前記環抵部の一端は軸棒を設け、前記軸棒上にスクリュー段と二つの欠落部を有し、
パッドと、
枢孔を有する固定架と、
翼型パッドと、
直辺枢孔を有し、前記回転軸素子の欠落部に対応して、相対旋回を防止する定位板と、
複数の皿型弾性パッドと、及び、
圧縮パッドと、
からなり、前記回転軸素子の軸棒は、順に、前記パッド、前記固定架、前記翼型パッド、前記定位板、前記複数の皿型弾性パッド、及び、前記圧縮パッドを貫通した後、更に、ナットにより、前記回転軸のスクリュー段に鎖固して、全体を固定することを特徴とするヒンジ構造。
【請求項２】
前記回転軸素子は、前記軸棒が相対する前記環抵部の一端に、固定棒を設けることを特徴とする請求項１に記載のヒンジ構造。  
【請求項３】
前記固定棒は定位孔を設けることを特徴とする請求項２に記載のヒンジ構造。
【請求項４】
前記軸棒は、直径が大きく、前記スクリュー段及び前記欠落部を設置するのに用いられる第一軸棒１３１を備え、前記第一軸棒が延伸し、直径が小さい第二軸棒を備えることを特徴とする請求項１に記載のヒンジ構造。
【請求項５】
前記翼型パッドは凸部を形成し、前記凸部は、線形接触状態の作用を形成することを特徴とする請求項１に記載のヒンジ構造。
【請求項６】
前記複数の皿型弾性パッドは、弾性体で代替することが出来ることを特徴とする請求項１に記載のヒンジ構造。  
【請求項７】
前記パッドは、翼形パッドにより代替できることを特徴とする請求項１に記載のヒンジ構造。
【考案の詳細な説明】
【技術分野】
【０００１】
本考案は、ヒンジ構造に関するものであって、特に、いかなる折り畳み式のコンピュータ（ノート型パソコンや、PDA）、或いは、箱、箱体を結合することが出来、旋回が円滑で、安定した回動を保持するヒンジ構造に関するものである。
【背景技術】
【０００２】
ヒンジは、主に、折り畳み式の装置（ノート型パソコンや、PDA）、或いは、器物に応用され、装置、或いは器物の蓋体が、いかなる角度になる時でも、随時定位し、滑落しない効果を有している。公知のヒンジ構造は、図４で示されるように、固定架９０、パッド９１、９２、弾性パッド９３、定位板９４及び回転軸９５からなる。固定架９０は、枢孔９０１及び枢孔９０１周縁に連通される油槽９０２を設置している。パッド９１、９２は、枢孔９１１、９２１及び周縁の油槽９１２、９２２を備え、油槽９０２、９１２、９２２は、油脂を充填する。皿状弾性パッド９３は枢孔９３１を設け、定位板９４は、扁形の軸通孔９４１及び円周上のブロック９４２を備える。回転軸９５は回転軸ヘッド９５１及び直径が小さい軸棒９５２を設ける。軸棒９５２両側に、欠落部９５３を備え、軸棒９５２のもう一側に、スクリュー９５４を有する。回転軸９５はパッド９２、固定架９０、パッド９１、弾性パッド９３、定位板９４を貫通した後、ナット９６により、軸棒９５２上に固結される。
公知のヒンジは、枢転の功能を達成するが、長期使用で、反復回転した後、各素子の緊接関係は、多量の油脂を油槽中に保持することが出来ず、且つ、油脂は粘性物であり、時間が経つにつれて流失し、或いは、次第に乾燥して、パッド９１、９２と固定架９０の接触壁を一体に粘合し、回転軸９５が固定架９０で回転し、各皿状弾性パッド９３相互間で摩擦を生じ、ヒンジは皿状弾性パッド９３により、回動を設定するため、皿状弾性パッド９３の摩損により、ヒンジの回動が不安定な状況を呈する。これにより、どのように、ヒンジの回動が不安定な問題を解決するかが、業界において、研究の重要な課題となっている。
【考案の開示】
【考案が解決しようとする課題】
【０００３】
本考案は、ヒンジ構造を提供し、ヒンジが長期使用後も、皿状弾性パッドの摩損現象を生じず、回動の安定状態を確保することを目的とする。
本考案は、ヒンジ構造を提供し、ヒンジの回転が、随時、円滑、且つ、平穏な状態を維持できるようにすることをもう一つの目的とする。
【課題を解決するための手段】
【０００４】
上述の目的を達成するため、本考案が使用する技術手段は、回転軸素子を備え、回転軸の中段は、直径が大きい環抵部を設け、環抵部の一端は軸棒を設け、軸棒上にスクリュー段と二つの欠落部を備え、パッド、枢孔を有する固定架、翼型パッド、直辺枢孔を有し、前記回転軸素子の欠落部に対応して、相対旋回を防止する定位板、複数の皿型弾性パッド、及び、圧縮パッドを備える。回転軸素子の軸棒は、順に、パッド、固定架、翼型パッド、定位板、複数の皿型弾性パッド、及び、圧縮パッドを貫通した後、更に、ナットにより、回転軸のスクリュー段に鎖固して、全体を固定する。
【考案の効果】
【０００５】
ヒンジが長期使用後も、皿状弾性パッドの摩損現象を生じず、回動の安定状態を確保でき、随時、円滑、且つ、平穏な状態を維持できる。
【考案を実施するための最良の形態】
【０００６】
図１〜図３を参照すると、本考案のヒンジ構造は、回転軸１０、固定架２０、パッド３０、翼型パッド４０、定位板５０、圧縮パッド６０、及び、四つの皿型弾性パッド７０、からなる。回転軸１０の中段は、直径が大きい環抵部１１を設け、環抵部１１の一端は固定棒１２を設け、固定棒１２は定位孔１２０を設け、環抵部１１のもう一端は軸棒１３を備える。軸棒１３は、直径が大きい第一軸棒１３１と、そこから延伸し、直径が小さい第二軸棒１３２とを備え、第一軸棒１３１上にスクリュー段１３３及び対称の二つの欠落部１３４を備える。固定架２０は直板２１及び縦板２２を備え、直板２１上に、枢孔２３を設け、縦板２２は、固定孔２４を備える。翼型パッド４０は、凸部４２及び凹部４４を形成している。定位板５０は直辺枢孔５２を設け、回転軸１０の欠落部１３４に対応して、相対旋回を防止する。皿型弾性パッド７０は二組が凹型を呈して、外向きのx型で組み合わされる（図３で示される）。また、皿型弾性パッド７０は、弾性体で代替することも出来、パッド３０はもう一つの翼形パッドにより代替できる。
【０００７】
組み合わせ時、回転軸素子１０の軸棒１３は、順に、パッド３０、固定架２０、翼型パッド４０、定位板５０、四つの皿型弾性パッド７０、及び、圧縮パッド６０を貫通した後、更に、ナット８０により、回転軸１０のスクリュー段１３３に鎖固して、全体を固定する。
【０００８】
固定架２０と回転軸素子１０が相対旋回作動する時、定位板５０の直辺枢孔５２は、旋転摩擦動力を阻絶する作用を有し、後続で組み立てる皿型弾性パッド７０間に回転に伴う摩擦を生じさせない。故に、長期使用、或いは、数万回以上の使用でも、安定した回動を保持することが出来る。
【０００９】
更に、翼型パッド４０は凸部４２を備え、凸部４２により、定位板５０に抵接して、環状線形の接触状態を形成し、よって、微粒の雑物が翼型パッド４０と定位板５０間に侵入した時、凸部４２と定位板５０間の微小な滑移により、凹部４４中に退出し、互いの間の摩擦損耗を減少させて、回転を円滑にし、且つ、全体の回動の安定性を向上させる。
【００１０】
本考案のヒンジ構造は、直辺数孔を有する定位板を回転軸素子１０と皿型弾性パッド７０間に設けることにより、旋転摩擦動力が適当に阻隔されて、皿型弾性パッドに影響しない。各皿型弾性パッド間に摩擦損耗が無いことにより、回動の安定を保持できる。翼型パッドの設置により、回転軸素子の旋回作動時に、素子間に環状線形接触作用を保持させ、旋回作動を更に円滑にし、ヒンジはその使用性能を向上させる。
【００１１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案登録請求の範囲で指定した内容を基準とする。
【図面の簡単な説明】
【００１２】
【図１】本考案の立体図である。
【図２】本考案の分解図である。
【図３】本考案の使用状態を示す正面図である。
【図４】公知のヒンジの構造を示す図である。
【符号の説明】
【００１３】
１０…回転軸素子
２０…固定架    
３０…パッド
４０…翼型パッド
５０…定位板
６０…圧縮パッド
７０…皿型弾性パッド
１１…環抵部
１２…固定棒
１２０…定位孔
１３…軸棒
１３１…第一軸棒
１３２…第二軸棒
１３３…スクリュー段
１３４…欠落部
２１…直板
２２…縦板
２３…枢孔
２４…固定孔
４２…凸部
４４…凹部
５２…直辺枢孔  
【図１】
0003104006.tif 000003
【図２】
0003104006.tif 000004
【図３】
0003104006.tif 000005
【図４】
0003104006.tif 000006